(57)【要約】【課題】ネットワークを介して画像データを送信する機能を有し、送信対象の画像データの送信前に、送信先のプリンタにおいてプリント出力されるであろう画像をユーザが確認できる画像表示装置を提供すること。【解決手段】デジタル複合機は、画像を表示させるＬＣＤを備えている。デジタル複合機は、送信対象の画像データをＹＣｒＣｂ表色系で表される画像データαに変換する（Ｓ１２）。変換後の画像データαを、変換テーブルを用いて画像データβに変換する（Ｓ１５）。この変換テーブルには、ＹＣｒＣｂ表色系の色と、その色の画像を送信先のプリンタにおいて実際にプリント出力したときに再現される画像の色との対応関係を示す情報が格納されている。デジタル複合機は、変換後の画像データβの画像をＬＣＤに表示させる（Ｓ１９）。【選択図】図４
2008065148.tif 000002
【特許請求の範囲】
【請求項１】
表示手段を備え、ネットワークを介して送信対象の画像データを送信する機能を有する画像表示装置であって、
前記画像データの送信先の指定を受け付ける送信先受付手段と、
前記画像データを、前記送信先の装置が当該画像データに基づいて画像を出力する場合における出力画像の再現色のデータに変換するための情報を取得する取得手段と、
前記取得された情報を用いて、前記画像データを変換する変換手段と、
前記変換手段により変換された画像データの画像を前記表示手段に表示させる制御手段と、
を備えることを特徴とする画像表示装置。
【請求項２】
シート上に画像を形成する画像形成手段を備え、
前記制御手段は、
前記変換された画像データの画像の色範囲が前記表示手段による表示色可能範囲内に入るか否かを判断する表示判断手段を備え、
前記表示手段による表示色可能範囲内に入らないことが判断されると、前記表示手段による表示を禁止し、前記画像形成手段を制御して前記変換された画像データに基づく画像形成を実行させることを特徴とする請求項１に記載の画像表示装置。
【請求項３】
前記制御手段は、
前記変換された画像データの画像の色範囲が前記画像形成手段による再現色可能範囲内に入るか否かを判断する画像形成判断手段を備え、
前記画像形成手段による再現色可能範囲内に入らないことが判断されると、当該再現色可能範囲内に入るように当該変換された画像データを補正し、補正後のデータに基づく画像形成を実行させることを特徴とする請求項２に記載の画像表示装置。
【請求項４】
前記画像形成の実行要否の指示をユーザから受け付ける実行要否受付手段を備え、
前記制御手段は、前記画像形成の実行不要の指示が受け付けられると、前記画像形成の実行を禁止することを特徴とする請求項２または３に記載の画像表示装置。
【請求項５】
外部の装置の指定をユーザから受け付ける装置受付手段を備え、
前記制御手段は、
前記変換された画像データの画像の色範囲が前記表示手段による表示色可能範囲内に入るか否かを判断する表示判断手段を有し、
前記表示手段による表示色可能範囲内に入らないことが判断されると、前記装置受付手段による装置の指定を受け付けて、指定された装置に前記変換された画像データを前記ネットワークを介して送信して、当該画像データに基づく画像出力を指示することを特徴とする請求項１に記載の画像表示装置。
【請求項６】
前記制御手段は、
前記変換された画像データの画像の色範囲が前記指定された装置による再現色可能範囲内に入るか否かを判断する範囲判断手段を備え、
前記指定された装置による再現色可能範囲内に入らないことが判断されると、当該再現色可能範囲内に入るように当該変換された画像データを補正し、補正後のデータに基づく画像出力を指示することを特徴とする請求項５に記載の画像表示装置。
【請求項７】
前記制御手段は、
前記変換された画像データの画像の色範囲が前記表示手段による再現色可能範囲内に入るか否かを判断する表示判断手段と、
前記表示手段による再現色可能範囲内に入らないことが判断されると、前記ネットワークに接続されている外部の装置のうち、前記変換された画像データの画像の色を出力可能な装置を探索する探索手段と、を備え、
前記探索手段により装置が探索された場合には、探索された装置に前記変換された画像データを送信して、当該画像データに基づく画像出力を指示することを特徴とする請求項１に記載の画像表示装置。
【請求項８】
前記制御手段は、
前記探索手段により装置が探索された場合には、探索された装置から画像出力される旨をユーザに通知し、探索されなかった場合には、その旨を通知することを特徴とする請求項７に記載の画像表示装置。
【請求項９】
前記制御手段は、
前記変換された画像データに特定情報を埋め込み、特定情報を埋め込んだ画像データの画像を前記表示手段に表示させ、
表示されている特定情報に対しユーザから埋め込み位置の変更指示を受け付けると、指示された位置に特定情報の埋め込み位置を変更し、
前記送信対象の画像データの、前記変更後の埋め込み位置に相当する位置に、特定情報を埋め込むことを特徴とする請求項１乃至８のいずれか１項に記載の画像表示装置。
【発明の詳細な説明】
【技術分野】
【０００１】
本発明は、ネットワークに接続される画像表示装置に関する。
【背景技術】
【０００２】
近年、原稿画像を読み取るスキャン機能と、読み取られた画像データに基づいて画像をシートに形成するコピー機能と、前記画像データの画像を液晶ディスプレイ（ＬＣＤ）等に画面表示させる表示機能と、前記画像データを別の装置にネットワークを介して送信する送信機能等を備える、いわゆる多機能複合機（MFP：Multiple Function Peripheral）と呼ばれるものが普及している。
【０００３】
上記のような表示機能を有するＭＦＰを用いれば、ユーザは、これから送信しようとする画像を送信前にＬＣＤに表示させて目視にて確認できるので、例えば画像が小さ過ぎて見難いと感じた場合には、画像が拡大されるように読み取り等を再度実行することで、自身の好みに応じた画像を送信先に送信できる。
【特許文献１】特開平２−２８７４９３号公報
【発明の開示】
【発明が解決しようとする課題】
【０００４】
しかしながら、上記ＭＦＰを利用するユーザは、送信先の装置においてコピー等の出力により画像がどのように再現されるのかについては判らない。従って、当該ユーザ（送信元のユーザ）は、例えば送信先の装置においてコピー等により出力された画像が送信前にＬＣＤで確認したときの画像と色合いが異なった状態で再現されていたとしても知る由がなく、当該ユーザの意図が反映されない場合が生じるという問題がある。
【０００５】
本発明は、上記の問題点に鑑みてなされたものであって、ユーザの意図をより反映できる画像表示装置を提供することを目的としている。
【課題を解決するための手段】
【０００６】
上記目的を達成するため、本発明に係る画像表示装置は、表示手段を備え、ネットワークを介して送信対象の画像データを送信する機能を有する画像表示装置であって、前記画像データの送信先の指定を受け付ける送信先受付手段と、前記画像データを、前記送信先の装置が当該画像データに基づいて画像を出力する場合における出力画像の再現色のデータに変換するための情報を取得する取得手段と、前記取得された情報を用いて、前記画像データを変換する変換手段と、前記変換手段により変換された画像データの画像を前記表示手段に表示させる制御手段と、を備えることを特徴とする。
【０００７】
ここで「画像データ」とは、画像を表わすためのデータであり、ビットマップ展開された画像データのみならず、所定の方式により圧縮された画像データや所定のフォーマットに変換された画像データなどを広く含むものである。
【発明の効果】
【０００８】
このようにすれば、ユーザは、送信前に、送信先の装置による出力画像を確認することができ便宜である。
また、シート上に画像を形成する画像形成手段を備え、前記制御手段は、前記変換された画像データの画像の色範囲が前記表示手段による表示色可能範囲内に入るか否かを判断する表示判断手段を備え、前記表示手段による表示色可能範囲内に入らないことが判断されると、前記表示手段による表示を禁止し、前記画像形成手段を制御して前記変換された画像データに基づく画像形成を実行させることを特徴とする。
【０００９】
このようにすれば、シート上に形成された画像により確認できる。
さらに、前記制御手段は、前記変換された画像データの画像の色範囲が前記画像形成手段による再現色可能範囲内に入るか否かを判断する画像形成判断手段を備え、前記画像形成手段による再現色可能範囲内に入らないことが判断されると、当該再現色可能範囲内に入るように当該変換された画像データを補正し、補正後のデータに基づく画像形成を実行させることを特徴とする。
【００１０】
このようにすれば、補正された画像を見て確認することができる。
ここで、前記画像形成の実行要否の指示をユーザから受け付ける実行要否受付手段を備え、前記制御手段は、前記画像形成の実行不要の指示が受け付けられると、前記画像形成の実行を禁止することを特徴とする。
このようにすれば、ユーザはシート上への画像形成を行うか否かを選択できる。
【００１１】
また、外部の装置の指定をユーザから受け付ける装置受付手段を備え、前記制御手段は、前記変換された画像データの画像の色範囲が前記表示手段による表示色可能範囲内に入るか否かを判断する表示判断手段を有し、前記表示手段による表示色可能範囲内に入らないことが判断されると、前記装置受付手段による装置の指定を受け付けて、指定された装置に前記変換された画像データを前記ネットワークを介して送信して、当該画像データに基づく画像出力を指示することを特徴とする。
【００１２】
このようにすれば、ユーザは、自己が希望する装置を指定できる。
さらに、前記制御手段は、前記変換された画像データの画像の色範囲が前記指定された装置による再現色可能範囲内に入るか否かを判断する範囲判断手段を備え、前記指定された装置による再現色可能範囲内に入らないことが判断されると、当該再現色可能範囲内に入るように当該変換された画像データを補正し、補正後のデータに基づく画像出力を指示することを特徴とする。
【００１３】
このようにすれば、補正された画像を見て確認することができる。
また、前記制御手段は、前記変換された画像データの画像の色範囲が前記表示手段による再現色可能範囲内に入るか否かを判断する表示判断手段と、前記表示手段による再現色可能範囲内に入らないことが判断されると、前記ネットワークに接続されている外部の装置のうち、前記変換された画像データの画像の色を出力可能な装置を探索する探索手段と、を備え、前記探索手段により装置が探索された場合には、探索された装置に前記変換された画像データを送信して、当該画像データに基づく画像出力を指示することを特徴とする。
【００１４】
このようにすれば、ユーザにとって装置を指定するという操作を行う必要がなくなる。
また、前記制御手段は、前記探索手段により装置が探索された場合には、探索された装置から画像出力される旨をユーザに通知し、探索されなかった場合には、その旨を通知することを特徴とする。
このようにすれば、ユーザは、どの装置から画像出力がなされ、また装置を探索できなかったのかを知ることができ、便利である。
【００１５】
さらに、前記制御手段は、前記変換された画像データに特定情報を埋め込み、特定情報を埋め込んだ画像データの画像を前記表示手段に表示させ、表示されている特定情報に対しユーザから埋め込み位置の変更指示を受け付けると、指示された位置に特定情報の埋め込み位置を変更し、前記送信対象の画像データの、前記変更後の埋め込み位置に相当する位置に、特定情報を埋め込むことを特徴とする。
【００１６】
このようにすれば、ユーザは、地紋等の特定情報を事前に確認でき、そして埋め込み位置の変更を行うことが可能になる。
【発明を実施するための最良の形態】
【００１７】
以下、本発明に係る画像表示装置の実施の形態を、図面を参照しながら説明する。
図１は、画像表示装置としてのＭＦＰ１の構成を示すブロック図である。
同図に示すように、ＭＦＰ１は、スキャナ２、プリンタ３、入力部４、ＬＣＤ５および制御部６を備えており、ネットワーク３０に接続されている。
スキャナ２は、セットされた原稿の画像を読み取って画像データを得るスキャン機能を実行する。
【００１８】
プリンタ３は、スキャナ２により読み取られた画像データに基づいてシートに画像を形成するコピー機能を実行する。また、外部の装置から送られて来た画像データに基づいてシートに画像を形成するプリント機能を実行する。ここで、画像データとは、画像を表わすためのデータであればビットマップ展開されたデータに限られず、例えばページ記述言語（ＰＤＬ：Page Description Language）など所定のフォーマットに変換されたデータが用いられるとしても良い。
【００１９】
入力部４は、例えば操作パネル等からなり、ユーザからのコピー枚数の入力や画像データの送信先の指定等を受け付ける。
制御部６は、読取制御部７、表示制御部８、プリンタ制御部９、再現色変換情報格納部１０、再現色変換情報取得部１１、インターフェース（Ｉ／Ｆ）部１２、ＬＣＤ表示色範囲情報格納部１３、プリンタ再現色範囲情報格納部１４、変換部１５、出力可否判断部１６、特定情報格納部１７、送受信部１８、全体制御部１９および画像メモリ２０等を備えている。
【００２０】
読取制御部７は、スキャナ２を制御して原稿の読み取り動作を実行する。
表示制御部８は、表示手段としてのＬＣＤ５を制御してスキャン機能等による画像データの画像を画面表示させる。
プリンタ制御部９は、プリンタ３を制御して画像形成動作を実行する。
再現色変換情報格納部１０は、不揮発性の記憶手段であり、画像データの送信先となり得る装置、ここではネットワーク３０に接続されている外部のプリンタＡ、Ｂ・・（不図示）の再現色変換情報が格納されている。
【００２１】
図２は、再現色変換情報の例を示す図である。
同図に示すように、再現色変換情報１０１は、送信先（プリンタＡ、Ｂ・・）と変換テーブル（テーブルＡ、Ｂ・・）とが対応付けてなる。
変換テーブルには、送信先毎に、当該送信先のプリンタにおいて、これから送信しようとしている画像データ（送信対象の画像データ）が実際にプリント出力される場合に、元の画像の色がどのような色で再現されるのかを示す情報が格納されている。
【００２２】
図３は、変換テーブルＡの内容を模式的に示す図である。
同図に示すように、ＹＣｒＣｂ表色系で表わされる色のうち、ある色の値を（Ｙ１、Ｃｒ１、Ｃｂ１）としたとき、当該色の画像をプリンタＡにおいて実際にシート上にプリントしたときの出力画像の色の値が（Ａｙ１、Ａｃｒ１、Ａｃｂ１）になることを示している。
【００２３】
このように元の画像の色（原稿画像の色）と出力後の画像の色とが異なっているのは、次の理由による。すなわち、プリンタは、通常、製造時等において原稿画像の色を忠実に再現すべく画像調整、いわゆるカラーマッチングを行うが、実際にはプリンタの再現能力、例えば使用されるトナーの色数、色合い、解像度等により同じ色を再現できない場合があり、その場合にはできるだけ近い色になるように調整されるからである。
【００２４】
変換テーブルＡは、画像データとして用いられるべき色の１色ずつについて、当該色の値（Ｙ、Ｃｒ、Ｃｂ）と、当該色の画像をプリンタＡが実際にシート上にプリントしたときに再現される画像の色の値（Ｙ´、Ｃｒ´、Ｃｂ´）とが対応付けされている。換言すると変換テーブルＡは、プリンタＡについて、原稿画像の色と実際の出力画像の色との対応関係を示しているものといえる。このことは他のプリンタＢに対する変換テーブルＢ等についても同様である。
【００２５】
従って、変換テーブルＡを用いて、送信対象の画像データの画素毎に、当該画素の色を、対応する実際の出力画像の色に変換して、変換後の画像データに基づき画像をＬＣＤ５に表示させれば、ユーザは、送信前に送信先のプリンタＡによりプリント出力されるであろう画像の色を目視により確認できることになる。この処理の詳細については後述する。
この変換テーブルの情報は、プリンタＡ、Ｂ・・ごとに予め当該プリンタに記憶されており、再現色変換情報取得部１１により各プリンタから取得されて、再現色変換情報格納部１０に格納される。
【００２６】
なお、上記ではＹＣｒＣｂ空間を用いた場合の例を説明したが、Ｌａｂ空間、ＲＧＢ空間、ＨＶＣ空間など色を表わす空間であればいずれを用いるとしても良い。また、再現色変換情報は、上記のようにテーブル形式とすることに限定されず、例えば変換のための変換式等とすることもできる。
図１に戻って、再現色変換情報取得部１１は、送信先としてユーザにより指定等されたプリンタＡ等からネットワーク３０を介して再現色変換情報を取得して、取得されたプリンタのアドレスと対応付けて再現色変換情報格納部１０に格納させる。なお、ネットワーク３０を介さずに、例えば再現色変換情報が記録された記録媒体から当該情報を読み取るリーダーをＭＦＰ１に設けて、当該記録媒体から読み出して取得するとしても良い。
【００２７】
インターフェース部１２は、ＬＡＮカード、ＬＡＮボードなどの、ネットワーク３０に接続するためのインターフェースである。
ＬＣＤ表示色範囲情報格納部１３は、不揮発性の記憶手段であり、色毎に、当該色をＬＣＤ５に忠実に表示させるために、当該色の情報をどのように変換すべきであるのかを図３に示すＹ、Ｃｒ、Ｃｂの３次元空間の座標値で示す情報（ＬＣＤ表示色範囲情報）が格納されている。
【００２８】
具体的には、例えば３次元空間のある色が座標（Ｙ１、Ｃｒ１、Ｃｂ１）で表わされた場合に、当該ある色がＬＣＤ５で表示可能な範囲の色であれば、（Ｙ１、Ｃｒ１、Ｃｂ１）＝（表示可、Ｂｙ１、Ｂｃｒ１、Ｂｃｂ１）とされる。また、当該ある色がＬＣＤ５で表示不可能な範囲の色であれば、（Ｙ１、Ｃｒ１、Ｃｂ１）＝（表示不可、ｂｙ１、ｂｃｒ１、ｂｃｂ１）とされる。
【００２９】
ここで、表示可、表示不可を示す情報は、表示可能な範囲の色であるか否かの判断に用いられる。また、表示可のＢｙ１、Ｂｃｒ１、Ｂｃｂ１の値は、当該値をＬＣＤ５に送ってＬＣＤ５で表示したときに、画像の色がＹ１、Ｃｒ１、Ｃｂ１で表示されることになるように、Ｙ１、Ｃｒ１、Ｃｂ１の値を変換したものである。
一方、表示不可のｂｙ１、ｂｃｒ１、ｂｃｂ１の値は、ＬＣＤ５ではＹ１、Ｃｒ１、Ｃｂ１の色を表示できないため、Ｙ１、Ｃｒ１、Ｃｂ１に最も近い色を表示させるための補正値に変換した値である。この情報によりＬＣＤ５で表示される色の範囲を判断できる。
【００３０】
ＬＣＤ表示色範囲情報は、ＬＣＤ５の表示能力に応じて予め求められてＭＦＰ１に格納され、後述する画像表示処理において画像表示可否の判断の際に用いられる。なお、ＬＣＤ表示色範囲情報としては、変換前後の値を対応付けるテーブル形式とすることに限定されず、例えば変換のための変換式等とすることもできる。
表示制御部８は、いわゆるカラーマッチング、ここでは表示すべき色の値をＬＣＤ表示色範囲情報に基づいて変換してＬＣＤ５に送り、ＬＣＤ５の表示を制御する。
【００３１】
プリンタ再現色範囲情報格納部１４は、不揮発性の記憶手段であり、色毎に、当該色をプリンタ３で忠実に再現させるためには、当該色の情報をどのように変換すべきであるのかを図３に示すＹ、Ｃｒ、Ｃｂの３次元空間の座標値で示す情報（プリンタ再現色範囲情報）が格納されている。プリンタ再現色範囲情報は、基本的に上記ＬＣＤ表示色範囲情報と同様の構成である。例えば、３次元空間のある色が座標（Ｙ１、Ｃｒ１、Ｃｂ１）で表わされた場合に、当該ある色がプリンタ３で再現可能な範囲の色であれば、（Ｙ１、Ｃｒ１、Ｃｂ１）＝（再現可、Ｃｙ１、Ｃｃｒ１、Ｃｃｂ１）とされ、再現不可能な範囲の色であれば、（再現不可、ｃｙ１、ｃｃｒ１、ｃｃｂ１）とされる。なお、プリンタ再現色範囲情報としては、変換前後の値を対応付けるテーブル形式とすることに限定されず、例えば変換のための変換式等とすることもできる。
【００３２】
プリンタ再現色範囲情報は、プリンタ３の画像形成能力に応じて予め求められてＭＦＰ１に格納され、画像表示処理で用いられる。
プリンタ制御部９は、いわゆるカラーマッチング、具体的には再現すべき色の値をプリンタ再現色範囲情報に基づいて変換してプリンタ３に送り、プリンタ３の画像形成動作を制御する。
【００３３】
変換部１５は、画像表示処理において、送信すべき画像データを再現色変換情報１０１の変換テーブルを用いて変換する処理を行う。
出力可否判断部１６は、画像表示処理において、変換部１５により変換された画像データの色の範囲がＬＣＤ５の表示可能な色の範囲内やプリンタ３の再現可能な色の範囲内に入っているか否かを判断する。
【００３４】
特定情報格納部１７は、画像に埋め込まれる特定情報、ここではいわゆる地紋のデータおよび画像に対する埋め込み位置を示す情報が格納されている。この地紋は、送信される画像データに埋め込まれる。
送受信部１８は、画像データを指定のプリンタにネットワーク３０を介して送信する送信機能を実行し、また外部のＭＦＰ等から送られて来る画像データを受信する受信機能を実行する。この送受信機能には、例えば電子メールやファクシミリ通信等による画像データの送受信などが含まれる。
【００３５】
全体制御部１９は、入力部４、読取制御部７、表示制御部８、プリンタ制御部９、インターフェース部１２、送受信部１８等を統括的に制御して、スキャン機能、コピー機能等を円滑に実行させる。
画像メモリ２０には、スキャン機能により読み取られた画像データ、外部から送られて来た画像データなどが格納される。
【００３６】
図４は、画像表示処理の内容を示すフローチャートである。
この画像表示処理は、ユーザによる画像表示の指示が入力部４を介して受け付けられたときに制御部６により実行される。
同図に示すように、送信対象の画像データを取得する（ステップＳ１１）。ここでは、上記ユーザによる画像表示の指示の際に、当該ユーザからの送信対象の画像データにおけるファイルの指定を受け付け、指定された画像データのファイルを画像メモリ２０から読み出す。
【００３７】
読み出した画像データをＹＣｒＣｂ表色系の画像データに変換する（ステップＳ１２）。この変換は、読み出した画像データがＹＣｒＣｂ表色系のデータでない場合に行われ、例えばＲＧＢ色のデータの場合には、ＲＧＢからＹＣｒＣｂ表色系に変換するための公知の変換式を用いて変換される。以下、変換前後の画像データを区別するため、変換前の画像データを送信対象の画像データ、変換後の画像データを画像データαということにする。なお、実際に送信される画像データは、送信対象の画像データであり、画像データα、後述の画像データβは、当該画像表示処理で利用されるためのデータである。
【００３８】
次に、送信先となる外部の装置、ここではプリンタを特定する（ステップＳ１３）。具体的には、上記ユーザによる画像表示の指示の際に、送信先のプリンタの指定を受け付け、指定されたプリンタを送信先として特定する。
特定されたプリンタに対応する変換テーブルを再現色変換情報格納部１０から読み出す（ステップＳ１４）。例えば、プリンタＡが指定された場合には、変換テーブルＡの情報が読み出される。以下、プリンタＡが指定された場合の例を説明する。
【００３９】
画像データαを変換テーブルＡに基づいて画像データβに変換する（ステップＳ１５）。具体的には、例えばある画素の色の値が図３に示すように（Ｙ１、Ｃｒ１、Ｃｂ１）の場合には、値（Ａｙ１、Ａｃｒ１、Ａｃｂ１）に変換される。画像データαの全画素について色変換が実行される。
ＬＣＤ５の表示色範囲情報を取得する（ステップＳ１６）。ここでは、ＬＣＤ表示色範囲情報格納部１３から当該表示色範囲情報を読み出す。
【００４０】
そして、画像データβの全画素について、その色の値がＬＣＤ５の表示可能な色の範囲（ＬＣＤ表示色可能範囲）内に入っているか否かを判断する（ステップＳ１７）。
入っていることの判断は、上記ＬＣＤ表示色範囲情報を参照し、全画素についてその色の値が「表示可」である場合に行われる。
図５は、画像データβの色の範囲５１とＬＣＤ表示色可能範囲５２の関係を模式的に例示した図である。同図の例では画像データβの色の範囲５１の一部がＬＣＤ表示色可能範囲５２からはみ出ており、この場合にはＬＣＤ表示色可能範囲５２に入っていないと判断されることになる。
【００４１】
全画素の色の値がＬＣＤ表示色可能範囲内に入っているということは、ＬＣＤ５において画像データβの画像の本来の色を再現して表示できることを意味し、入っていないということは、表示できない画素が存在することを意味する。
ここで、入っていることを判断すると（ステップＳ１８で「ＹＥＳ」）、画像データβの画像をＬＣＤ５に画面表示させる（ステップＳ１９）。ここでは、画像データβの各画素の色の値をＬＣＤ表示色範囲情報に基づいて変換して、その変換後の画像データβをＬＣＤ５に送って画面表示させる。なお、画像データβの画像を忠実に再現できれば上記の方法に限られることはない。
【００４２】
図６は、ＬＣＤ５に表示された表示画像６０の例である。この表示画像６０を見ることで、ユーザは、送信対象の画像データの送信前に、プリンタＡにおいて当該画像データに基づくプリントにより再現されるであろう画像を確認することができる。
なお、同図の符号６１で示しているのは、地紋の画像である。上記のように送信される画像データには地紋６１のデータが埋め込まれるようになっている。そこで、本処理では、埋め込まれる地紋６１の模様が画像のどこに位置しているのかも合わせてユーザが事前に目視で確認できるように、送信対象の画像データに埋め込むときと同じ位置に同じ個数（同図では２４個）だけ地紋６１を画像データβに埋め込むと共に、ユーザが見易いように地紋６１の濃度を特別に濃くして画面表示させる制御を実行するものである。
【００４３】
ユーザは、本来であればほとんど目視できない程度の淡い濃度等で埋め込まれる地紋６１の画像を目視で確認できる。その際、ユーザは、同図に示すように画像の罫線にかかる地紋６１が多いと感じた場合には、地紋の位置を変更させることができる。
そのままにしておくと送信先のプリンタからプリント出力される画像にも罫線にかかる地紋が多いということになり、プリント出力されたシートが別途スキャナ等で読み取られたときに罫線にかかる地紋が正確に読み取られず地紋の本来の機能を果たせなくなるおそれが生じることを抑制することができる。ここでは、ユーザが入力部４を介して位置変更の指示を行うことができるようになっている。
【００４４】
図４に戻り、制御部６は、ユーザによる位置変更の指示を受け付けると（ステップＳ２０で「ＹＥＳ」）、位置変更の入力を受け付ける（ステップＳ２１）。ここでは、ＬＣＤ５の画面にタッチパネル（不図示）が貼着されており、当該タッチパネルからユーザの入力を受け付ける。
具体的には、図７の位置変更前の表示画像６０と変更後の表示画像６２の例に示すように、ユーザが表示画像６０の地紋６１の表示部分を指でタッチしたまま、その指を変更したい位置までずらしながら移動させると、その指の移動に追随するように地紋６１の表示位置をずらした表示画像６２を表示させる。より具体的には、指の移動方向および移動距離をタッチパネルから検出し、検出された移動方向と移動距離から各地紋６１の移動先の位置を特定し、特定した位置に各地紋６１が表示されるように各地紋６１の埋め込み位置を変更する。
【００４５】
ユーザは、自己が希望する位置に地紋６１を移動させた後、図示しないキーの操作により図８に示す位置確認終了画面６４をＬＣＤ５に表示させて、位置確認終了画面６４の終了キー６５をタッチ入力することで、位置変更を終了させることができる。
図４に戻り、ステップＳ２２では、終了キー６５がタッチされると地紋６１の位置変更が確定されたとして、特定情報格納部１７に現に格納されている埋め込み位置を示す情報を上記変更後の位置を示す情報に書き換えて保存する。ユーザからの消灯の指示があると画面を消灯して（ステップＳ２３）、当該処理を終了する。
【００４６】
当該処理後に送信対象の画像データがプリンタＡに送信される際には、送信対象の画像データの、上記書き換え後の位置に相当する位置に各地紋６１を埋め込む処理を行い、当該地紋６１が埋め込まれた画像データが送信される。これにより、プリンタＡからは罫線にかかる地紋６１が少ない画像をプリント出力できることになる。
なお、ＬＣＤ５への表示に際し、上記では地紋６１の濃度を濃くして目視し易くするとしたが、これは表示に限られる処理であり、送信対象の画像データに埋め込まれる地紋の色（濃度）の値が本来の値から変えられないことはいうまでもない。また、特定情報としては、画像の埋め込まれる情報であれば地紋に限られず、例えばいわゆる電子透かしやウォーターマーク等とすることができる。
【００４７】
ステップＳ２０において位置変更の指示がなければ（ステップＳ２０で「ＮＯ」）、ステップＳ２３に移る。
ステップＳ１８で、ＬＣＤ表示色可能範囲内に入っていないことを判断すると（ステップＳ１８で「ＮＯ」）、ユーザからの、プリント出力の要否の選択を受け付ける（ステップＳ２４）。ユーザは、送信対象の画像データの画像をプリント出力させるかどうかを選択することができる。ここでは入力部４から選択を行えるようになっている。
【００４８】
プリント出力しないことが選択されると（ステップＳ２５で「ＮＯ」）、ユーザがプリント出力まで望んでいないとして、そのまま当該画像表示処理を終了する。
一方、プリント出力することが選択されると（ステップＳ２５で「ＹＥＳ」）、プリント処理を実行して（ステップＳ２６）、当該画像表示処理を終了する。
図９は、プリント処理のサブルーチンの内容を示すフローチャートである。
【００４９】
同図に示すように、ユーザからの、プリンタの指定または探索の指示を受け付ける（ステップＳ３１）。制御部６は、プリンタの指定等を受け付ける受付画面（不図示）をＬＣＤ５に表示させる。ユーザは、当該受付画面からプリント出力をどのプリンタで実行させるのかを指定でき、またプリント可能なプリンタを探索させる指示を行うことができる。なお、当該指示の受け付けを入力部４から行うとしても良い。
【００５０】
指定されるプリンタには、例えばＭＦＰ１のプリンタ３やネットワーク３０に接続されている外部のプリンタ等が含まれる。外部のプリンタは、ネットワーク３０上のアドレス等により指定される。
プリンタが指定されたことを判断すると（ステップＳ３２で「ＹＥＳ」）、指定されたプリンタのプリンタ再現色範囲情報を取得する（ステップＳ３３）。例えば、プリンタ３が指定された場合には、プリンタ再現色範囲情報格納部１４からプリンタ再現色範囲情報が読み出される。また、外部のプリンタ、例えばＭＦＰ１の直ぐ近くに設置されているプリンタが指定された場合には、当該プリンタからプリンタ再現色範囲情報を受信する。
【００５１】
画像データβの全画素について、その色の値が、指定されたプリンタの再現可能な色の範囲（プリンタ再現色可能範囲）内に入っているか否かを判断する（ステップＳ３４）。
入っていることの判断は、上記プリンタ再現色範囲情報を参照し、全画素についてその色の値が「再現可」である場合に行われる。
図５の例では、画像データβの色の範囲５１がプリンタ再現色可能範囲５３内に入っていると判断される。
【００５２】
画像データβの色の範囲がプリンタ再現色可能範囲内に入っているということは、指定されたプリンタにおいて画像データβの画像の本来の色を再現できることを意味し、入っていないということは、再現できない画素が存在することを意味する。
入っていることを判断すると（ステップＳ３５で「ＹＥＳ」）、指定されたプリンタに画像データβに基づくプリント出力を指示して（ステップＳ３７）、メインルーチンにリターンする。ここでは、画像データβの各画素の色の値をプリンタ再現色範囲情報に基づいて変換して、その変換後の画像データβを当該プリンタに送ってプリント出力させる。なお、画像データβの画像を忠実に再現できれば上記の方法に限られることはない。
【００５３】
ユーザは、送信対象の画像データの送信前に、指定されたプリンタからプリント出力された出力物（シート）を見て、送信先であるプリンタＡにおいてプリント出力されるであろう画像を確認することができる。
一方、入っていないことを判断すると（ステップＳ３５で「ＮＯ」）、画像データβを補正して（ステップＳ３６）、指定されたプリンタに対し補正後の画像データβに基づくプリント出力を指示する（ステップＳ３７）。
【００５４】
画像データの補正方法としては、ここではプリンタ再現色可能範囲５３からはみ出ている画素の色の値を当該範囲５３内の中で最も近い色の値になるように、プリンタ再現色範囲情報において「再現不可」とされる画素（プリンタ再現色可能範囲５３からはみ出ている画素）について補正値に変換することにより行う。具体的には、プリンタ再現色範囲情報において、ある色の値が（Ｙ１、Ｃｒ１、Ｃｂ１）＝（再現不可、ｃｙ１、ｃｃｒ１、ｃｃｂ１）であれば、補正値（ｃｙ１、ｃｃｒ１、ｃｃｂ１）に変換される。
【００５５】
ステップＳ３２で、プリンタの探索が指示されたことを判断すると（ステップＳ３２で「ＮＯ」）、プリント可能なプリンタの探索を実行する（ステップＳ３８）。探索方法としては、例えばプリンタ３およびネットワーク３０に接続されている外部のプリンタそれぞれからプリンタ再現色範囲情報を取得して、画像データβの色の範囲がプリンタ再現色可能範囲内に入るか否かを判断し、入ると判断されたプリンタ再現色可能範囲を有するプリンタを検出する方法などがとられる。
【００５６】
プリンタが探索されたことを判断すると（ステップＳ３９で「ＹＥＳ」）、探索されたプリンタに、当該プリンタのプリンタ再現色範囲情報に基づいて変換された画像データβを送信し、当該画像データβに基づくプリント出力を指示する（ステップＳ４０）。そして、探索されたプリンタからプリント出力される旨をユーザに通知、ここではＬＣＤ５に表示させて（ステップＳ４１）、メインルーチンにリターンする。ユーザは、当該通知によりプリントがどのプリンタから行われるかを知ることができる。
【００５７】
なお、探索されたプリンタが複数ある場合には、その内の１台、例えばＭＦＰ１から最も近い位置に設置されているプリンタを選択することができる。この選択方法としては、例えば各プリンタに設置場所を示す情報、具体的には会社であれば所属部名やフロア名等を登録しておき、各プリンタから所属部名等の情報を取得して、ＭＦＰ１と所属部名等が同じプリンタを選択するなどの方法をとることができる。
【００５８】
プリンタを探索できなかったことを判断すると（ステップＳ３９で「ＮＯ」）、その旨をユーザに通知、ここではＬＣＤ５に表示させて（ステップＳ４２）、メインルーチンにリターンする。ユーザは、当該通知により探索できなかったことを知ることができる。なお、上記通知の方法が表示に限られないことはいうまでもない。例えば、音声とすることもできる。
【００５９】
以上説明したように、本実施の形態では、送信対象の画像データを再現色変換情報に基づいて変換し、変換後の画像データの画像をＬＣＤ５に表示させるとしたので、ユーザは、送信前に、送信先のプリンタからプリント出力されるであろう画像を確認することができ、思っても見なかった画像が送信先でプリント出力されてしまうといったことを防止できる。また、ＬＣＤ５の表示能力によっては画像の色を正確に表示できない場合があり、そのような場合にはシートへのプリントを行えるとしたので、ユーザは、プリントによる出力物でも確認することができる。
【００６０】
なお、本発明は、画像表示装置に限られず、表示方法であるとしてもよい。さらに、その方法をコンピュータが実行するプログラムであるとしてもよい。また、本発明に係るプログラムは、例えば磁気テープ、フレキシブルディスク等の磁気ディスク、ＤＶＤ−ＲＯＭ、ＤＶＤ−ＲＡＭ、ＣＤ−ＲＯＭ、ＣＤ−Ｒ、ＭＯ、ＰＤなどの光記録媒体、フラッシュメモリ系記録媒体等、コンピュータ読み取り可能な各種記録媒体に記録することが可能であり、当該記録媒体の形態で生産、譲渡等がなされる場合もあるし、プログラムの形態でインターネットを含む有線、無線の各種ネットワーク、放送、電気通信回線、衛星通信等を介して伝送、供給される場合もある。
【００６１】
また、本発明に係るプログラムは、上記に説明した処理をコンピュータに実行させるための全てのモジュールを含んでいる必要はなく、例えば通信プログラムやオペレーティングシステム（ＯＳ）に含まれるプログラムなど、別途情報処理装置にインストールすることができる各種汎用的なプログラムを利用して、本発明の各処理をコンピュータに実行させるようにしても良い。従って、上記した本発明の記録媒体に必ずしも上記全てのモジュールを記録している必要はないし、また必ずしも全てのモジュールを伝送する必要もない。さらに所定の処理を専用ハードウェアを利用して実行させるようにすることができる場合もある。
【００６２】
（変形例）
以上、本発明を実施の形態に基づいて説明してきたが、本発明は、上述の実施の形態に限定されないのは勿論であり、以下のような変形例が考えられる。
（１）上記実施の形態では、画像表示処理のステップＳ２４においてユーザからのプリント出力要否の選択を受け付け、ステップＳ２５においてプリント出力することが選択された場合にステップＳ２６のプリント処理を実行するとしたが、例えばユーザからの選択を受け付けることなくプリント処理を実行する構成をとるとしても良い。ユーザにとって選択の操作が省かれ操作の簡略化を図れる。
【００６３】
（２）また、プリント処理では、指定されたプリンタからプリント出力する場合に画像データβの補正を行うことがある場合（ステップＳ３６）の例を説明したが、探索されたプリンタからプリント出力する場合にも同様に当該補正を行うとしても良い。
（３）上記実施の形態では、表示手段してＬＣＤ５を備えたＭＦＰ１の構成例を説明したが、表示手段がＬＣＤに限られないことはいうまでもなく、例えばＣＲＴディスプレイ等とすることができる。また、ＭＦＰに限られることはなく、複写機、プリンタ、ファクシミリ装置等にも適用できる。さらに、ユーザが送信前に画像を目視により確認できれば良く、その意味では、例えばプリンタ３を備える構成に限定されず、表示手段を備え、ネットワークを介して画像データを送信する機能を有する画像表示装置一般に適用することができる。
【００６４】
また、上記実施の形態及び上記変形例をそれぞれ組み合わせるとしても良い。
【産業上の利用可能性】
【００６５】
本発明に係る画像表示装置は、表示手段を備え、ネットワークを介して画像データを送信する機能を有し、送信対象の画像データの送信前に、送信先において出力されるであろう画像をユーザが確認できる技術として有用である。
【図面の簡単な説明】
【００６６】
【図１】ＭＦＰ１の構成を示すブロック図である。
【図２】ＭＦＰ１の再現色変換情報格納部１０に格納されている再現色変換情報の例を示す図である。
【図３】再現色変換情報に含まれる変換テーブルＡの内容を模式的に示す図である。
【図４】ＭＦＰ１の制御部６が実行する画像表示処理の内容を示すフローチャートである。
【図５】ＭＦＰ１に備えられるＬＣＤ５の表示色可能範囲５２とＭＦＰ１に備えられるプリンタ３の再現色可能範囲５３との関係を模式的に例示する図である。
【図６】ＬＣＤ５に表示された表示画像６０の例である。
【図７】ユーザが、表示画像６０の表示位置の変更を指示している様子を示す図である。
【図８】ＬＣＤ５に表示される位置確認終了画面６４の例を示す図である。
【図９】プリント処理のサブルーチンの内容を示すフローチャートである。
【符号の説明】
【００６７】
１      ＭＦＰ
３      プリンタ
４      入力部
５      ＬＣＤ
６      制御部
８      表示制御部
９      プリンタ制御部
１１      再現色変換情報取得部
１３      ＬＣＤ表示色範囲情報格納部
１４      プリンタ再現色範囲情報格納部
１５      変換部
１６      出力可否判断部
１７      特定情報格納部
３０      ネットワーク
５２      ＬＣＤ表示色可能範囲
５３      プリンタ再現色可能範囲
６１      地紋
１０１      再現色変換情報
【図１】
2008065148.tif 000003
【図２】
2008065148.tif 000004
【図３】
2008065148.tif 000005
【図４】
2008065148.tif 000006
【図５】
2008065148.tif 000007
【図６】
2008065148.tif 000008
【図７】
2008065148.tif 000009
【図８】
2008065148.tif 000010
【図９】
2008065148.tif 000011